(57)【要約】タッチセンサにおいて、画素インピーダンスの変化が検知領域から直接に（パッシブマトリックス）または検知領域に結合されたアドレストランジスタ（ＡＭＬＣＤ）を介して測定される。
2005521131.tif 000002
【特許請求の範囲】
【請求項１】
多数の画素と、前記画素の少なくとも１つを駆動するための手段と、これと共に、前記画素の少なくとも１つのインピーダンスを監視すると共に前記インピーダンスの変化を実質的に同時に検知する手段と、を備えるタッチ高感度表示装置。
【請求項２】
前記インピーダンスの変化を検知する前記手段は、キャパシタンスの変化を測定している請求項１に記載のタッチ高感度表示装置。
【請求項３】
前記インピーダンスの変化を検知する前記手段は、画素の異なるグループのインピーダンスを実質的に同時に測定している請求項１に記載のタッチ高感度表示装置。
【請求項４】
前記インピーダンスの変化を検知する前記手段は、電圧における変化を測定している請求項１に記載のタッチ高感度表示装置。
【請求項５】
前記インピーダンスの変化を検知する前記手段は、電流における変化を測定している請求項１に記載のタッチ高感度表示装置。
【請求項６】
前記インピーダンスの変化を検知する前記手段は、周波数における変化を測定している請求項１に記載のタッチ高感度表示装置。
【請求項７】
前記インピーダンスを監視する前記手段は、画素の少なくとも１つのロウを監視している請求項１に記載のタッチ高感度表示装置。
【請求項８】
前記インピーダンスを監視する前記手段は、画素の少なくとも１つのカラムを監視している請求項１に記載のタッチ高感度表示装置。
【請求項９】
前記インピーダンスを監視する前記手段は、画素の１つのブロックを監視している請求項１に記載のタッチ高感度表示装置。
【請求項１０】
前記インピーダンスを監視する前記手段は、前記画素のインピーダンスを基準値と比較する手段を備えている請求項１に記載のタッチ高感度表示装置。
【請求項１１】
前記画素は液晶画素を備えると共に、前記基準値は前記液晶画素の遷移領域の外側の電圧を有する前記液晶画素のインピーダンス値により決定される請求項１０に記載のタッチ高感度表示装置。
【請求項１２】
前記基準値はダミー液晶画素のインピーダンス値により決定される請求項１０に記載のタッチ高感度表示装置。
【請求項１３】
前記インピーダンスを比較する前記手段は、前記基準値を蹴っているための手段を備える請求項１０に記載のタッチ高感度表示装置。
【請求項１４】
電圧における変化を測定するための前記手段は、少なくとも１つの増幅器を備える請求項４に記載のタッチ高感度表示装置。
【請求項１５】
電圧における変化を測定するための前記手段は、マイクロフォン検出回路を備える請求項４に記載のタッチ高感度表示装置。
【発明の詳細な説明】
【技術分野】
【０００１】
本発明は、多数の画素と、前記画素の少なくとも１つを駆動する手段と、これと共に前記画素の少なくとも１つのインピーダンスを監視する手段と、を備えるタッチ高感度センサに関する。
【０００２】
表示装置は例えば、液晶表示装置、または、Ｏ（ＬＥＤ）表示装置、または、エレクトロクロミック［electrochromic］効果に基づく表示装置がある。液晶表示装置のためには画素のインピーダンスは主に容量素子よりなり、これに対して、エレクトロクロミック表示およびＯ（ＬＥＤ）表示装置のためには、特に逆バイアス時において、画素のインピーダンスは主に抵抗である。
【０００３】
このような表示装置は、コンピュータ産業や、移動電話や値札から、手のひらに載るコンピュータや形成体までの領域にわたる携帯装置に広く行きわたった使用を見出されている。例えばスタイラス［stylus―触針―］のような接触装置との組合せは、広く行きわたった適用例に見出されており、これに対して、表示画面を介して入力を提供する他の方法の必要性もまた求められている。
【０００４】
米国特許［ＵＳＰ］第５，７７７，５９６号は、指、スタイラス［stylus―筆―］またはペンにより表示画面に簡単にタッチすることにより、（例えばコンピュータのような）結合された装置内への入力を許容するタッチ高感度液晶表示装置について説明している。この装置は、液晶表示素子（画素）の放電時間を基準値と比較して、素子がタッチされていることを決定するために、その比較結果を用いている。
【０００５】
前記タッチ高感度表示装置における１つの問題は、検知の後に正しい画像を回復させることにある。これは、２つの極限状態の間の１つのロウ［row―列―］における全ての画素の切り替え動作を表現するブランキングラインが用いられるという事実のためである。ブランキングラインが特定のロウに到達したときに、画素の放電時間を測定することによりタッチングが検出される。測定の後に、画素には、正しい画像を表示するために充分な電圧が供給される。同様のやり方における、ブランキングスポットの手段による検知動作が米国特許第５，７７７，５９６号に開示されている。
【０００６】
しかしながら、このようなブランキングは表示画面の上で可視的なものである（アーチファクト［artifacts―人為的影響―］）。
【０００７】
ある程度複雑な回路構成を用いることは別として、検知動作のこの方法においては、奇数または偶数のフレームを書き込むのとは異なっている、キックバック［kick back］のような液晶表示特性における差分［ばらつき］を考慮することは難しいことである。さらにもしも反射型の表示装置が用いられるのならば、内部ＤＣバイアス電圧が出現するかもしれず、これにより、放電は奇数または偶数のフレームを書き込むのとは異なってしまうことになる。ＤＣ駆動方法（低電力の液晶表示、電気泳動法）においては、反転が生じないので、この方法はこれらについては全く用いることができない。
【発明の概要】
【０００８】
この発明は、数ある中でも、これらの欠点を克服するためにその目的を有する。
【０００９】
また、この発明は、タッチ高感度液晶表示装置に、より多くの機能性を導くための更なる目的を有している。
【００１０】
この目的を達成するため、この発明に係るタッチ高感度表示装置は、複数の画素の少なくとも１つのインピーダンスを実質的に監視する手段と、前記インピーダンスにおける変化を同時に検知する手段を提供する。この発明は双方向性でない測定方法を提供すると言う事実において；この測定方法は画素に対して駆動電圧を提供することについて干渉しない。
【００１１】
これは、ブランキング信号を提供することの問題を克服するばかりでなく、タッチによる検知の、例えば、
i）表示画面上の異なる場所でのタッチ入力の検知、
ii）表示画面のタッチによる検知を無効にする部分、
のような新たな可能性をもまた提供するものであり、両方の可能性はコンピュータおよび遠隔通信の応用例への両方について実質的な長所を提供する。
【００１２】
表示画面上の異なる場所でのタッチ入力を実質的かつ同時に検知することは、表示画面の異なる場所の上を指または鉛筆の衝突を検出するような可能性を提供する。これは、例えば平面画面（コンピュータ）装置における有用な品目［item］であり、これらにおいてはキーボード機能が画面上のタッチ機能として既に実現されている。例えば、ＣＴＲＬ、ＡＬＴおよびＤＥＬのキーへの押下のような同時のタッチを検出することが可能であり；同様に、例えば描画プログラムにおいて、ペンによる２つの点への同時のタッチが直ちに直線を表示しても良く、その間に、第３のタッチ（面積／領域）を介して、この線が特定の曲率やハッチング［網掛け／斜め線］その他を受け取るようにしても良い。更なる応用例は、ゲームをすることや、または、ユーザまたはサービスプロバイダまたはサービスの受信者の何れかに、タッチ画面の一部分を有効および無効にさせる特徴である。例えばインターネットを介して得られるデータ入力は、特定の部分（表示中の単語）の使用を防止して、認証されていないユーザに対する特定のメニューバーの使用を妨害させたり無効にしたりしても良い。
【００１３】
一方で、タッチによる検知のための表示画面の無効部分は、読出しにおける妨害を防止しているセルラホンに用いられても良い。
【００１４】
それ自身の検知は、電圧における変化または周波数における変化を測定することにより行なわれるようにしても良い。
【００１５】
単一の画素の範囲内のインピーダンスの変化、例えば液晶表示装置における画素キャパシタンスは、一般的には他の画素の全体のキャパシタンス（パッシブマトリックス表示装置）、または、クロスオーバ［crossovers―交差―］部分の全体のキャパシタンスおよびカラム［column―行―］とロウ内の浮遊キャパシタンス（アクティブマトリックス表示装置）よりも相当に小さくなる。これは、タッチセンサの感度を低減させる。アクティブマトリックス液晶表示装置（ＡＭＬＣＤ―Active Matrix Liquid Crystal Dispaly―）においては、このような全体のキャパシタンスは、具体的には画素キャパシタンスよりも１０−１００倍も高くなっており、パッシブマトリックス表示装置では複数の要因がなお一層高くなっている。
【００１６】
この発明による解決方法のうちの１つは、カラム（またはロウ）に沿う多数の画素が同じ瞬間に検知されることを確実にすることである。この場合、タッチ信号は、検知されている多数の画素と共に増加するであろうし、この間に、背景のインピーダンスは一定の状態を維持するであろう。このようにして、ノイズに対する信号の比は増加する。
【００１７】
この目的を達成するため、この発明によるタッチ高感度表示装置の第１実施形態は、画素の少なくとも１つのロウのインピーダンス（キャパシタンス）を監視する手段を提供しており、これに対して第２実施形態においては、インピーダンス監視手段が画素の１つのカラムの少なくともインピーダンス（キャパシタンス）を監視している。画素のブロックのインピーダンスを監視することもまた可能である。
【００１８】
タッチ高感度表示装置の好適な第１実施形態においては、インピーダンス（キャパシタンス）を監視する手段が、画素のインピーダンス（キャパシタンス）を基準値と比較するための手段を備えている。
【００１９】
前記基準値は、固定値であっても良いが、望ましくは、液晶画素の遷移領域の外側の電圧を有する前記画素のインピーダンス（キャパシタンス）値により決定される。一方で、インピーダンス（キャパシタンス）を比較する手段が基準値を決定する手段を備えている場合には、動的な基準に基づいて決定されても良い。
【発明の詳細な説明】
【００２０】
添付図面の参照して、この発明のこれらおよびその他のアスペクトは図面から明らかであり、また、図面に基づいて解明されるであろう。
【００２１】
添付の図面は線図でありその縮尺は描かれていない。対応する構成要素は一般的に同一の参照符号により示されている。
【００２２】
図１は、表示装置１の一部分の電気的な等価回路図であり、この発明はこの装置に対して適用可能である。この装置は、“パッシブモード”と呼ばれる駆動の１つのモードにおいて、ロウまたは選択電極７と、カラムまたはデータ電極６との交差する領域により画定される画素８のマトリックスを備えている。ロウ電極は、ロウドライバ４の手段によって連続的に選択され、この間にカラム電極には、データレジスタ５を介してデータが供給される。この目的を達成するため、入力するデータ２はまず処理され、必要ならばプロセッサ３内で行なわれる。ロウドライバ４とデータレジスタ５間の相互の同期は、駆動ライン９を介して行なわれる。
【００２３】
“アクティブモード”と呼ばれる、駆動の他方のモードにおいては、ロウドライバ４からの信号が薄膜トランジスタ（ＴＦＴｓ―Thin-Film Transistors―）１０を介して画素電極を選択しており、（ＴＦＴの）ゲート電極はロウ電極７に電気的に接続され、ソース電極はカラム電極６に電気的に接続されている。カラム電極６に現れる信号は、ＴＦＴを介して、（そのＴＦＴの）ドレイン電極に結合された画素８の画素電極へと電気的に転送される。その他の画素電極は、例えば、１つ（またはそれ以上）の共通カウンタ電極へと接続されている。図１においては、一例として簡単に、ただ１つの薄膜トランジスタ（ＴＦＴｓ）１０が示されている。
【００２４】
図２は、液晶装置の電圧伝送曲線を示している。多くの種類のＬＣ効果においては、液晶の誘電率は画素電圧と共に変化することが知られている。そこで電圧Ｖｔｈで、伝送が減少し始めて例えば９０％のレベルにまで到達してしまったこの場合には、画素は、通常の（タッチされていない）状況の下で、キャパシタンスＣｔｈを有する。電圧Ｖｓａｔでの同様の状況の下では、伝送が例えば１０％のレベルにまで到達してしまったこの場合に、画素は通常の（タッチされていない）状況の下で、キャパシタンスＣｓａｔを有する。これらの値は液晶層の厚さの変化を導く画素のタッチ（押下）の後に、変化の測定を検出するための基準値として用いられることが望ましい。同様の電圧伝送曲線は、電気的ウェッティング法［electrowetting］に基づく表示装置および電気泳動法に基づく幾つかの表示装置により示されている。
【００２５】
一般的には、１つの画素の画素キャパシタンスは、カラムおよびロウにおける、（パッシブマトリックスにおける）他の画素のキャパシタンスにより、また、（アクティブマトリックスにおける）交差および浮遊キャパシタンスにより、少なく［overshadow―影が薄く―］なる。これは、感度を低減させる。
【００２６】
これに対する１つの解決方法は、カラム６（またはロウ７）に沿った多くの画素が同じ瞬間［moment］に検知されることを確実にさせることである。この場合、タッチ信号は検知されている多数の画素と共に増加するであろうし、この間に背景のキャパシタンスは依然として一定のままであろう。このようにして、ノイズに対する信号の比は、増加するであろう。好適な実施形態において、タッチによる検知の手順は、同時に（アクティブマトリックス）アドレスされている多くのロウ７、または、タッチ信号を増大させるために接続されている多くのカラム６を含んでいるであろう。
【００２７】
図３の実施形態において、キーパッド、タッチ高感度表示部１１の範囲内の最も多くの画素は、例えば白い液晶表示画素のような画定された状態であり（背景画素）、これらの画素はそれらのしきい値電圧Ｖｔｈで（またはそれより低く）既知のキャパシタンスを有している。（パッシブＬＣＤ）キーパッドの具体例において、ほんの僅かな画素が暗い画素であり、すなわち、それら自身の数およびより高いキャパシタンスを有し、その間に、大部分は白い背景画素である。特に、多くのロウ２２およびカラム２３（これらは多くの数の間である）は、全体として背景画素を備えると共に、多数の間の画素の幾つかのブロック２４は、暗い画素が現れていないロウとカラムとの両方に取り付けられる。
【００２８】
これらの装置において、背景画素のこれらのブロックは、タッチによる検知のために用いることができ、この中でタッチによる検知は、例えば２つのフレーム間のブランキング時間の間に実行されている。例えば、もしも表示部分の上の四分の一部分１２ａ内の画素を駆動する全てのロウが画素ブロックを駆動するのならば、複数のカラムは画素のキャパシタンスを直接検知するために用いられており、これらのカラムにおける検知している画素のＬＣ極性が反転されている（すなわち、−ＶｔｈからＶｔｈまで）ときに、この検知は、複数のカラムのブロックに沿って流れる電荷を検出することができる。反転の間の通常の電荷Ｑｎｏｍｉｎａｌは、
【数１】
2005521131.tif 000003
のようであろうし、式（１）において、Ｃｔｏｔａｌは表示部分の上の四分の一における検知している画素のブロックのキャパシタンスである。キャパシタンスが（圧力または浮遊キャパシタンスの何れであっても）表示部をタッチすることにより変形される検知されている画素の何れかのブロックにおいて、キャパシタンスは下式（２）のＣｔｏｕｃｈにより増加するであろう。
【数２】
2005521131.tif 000004
【００２９】
これを公知の通常電荷Ｑｎｏｍｉｎａｌと比較することにより、充電電流すなわちインピーダンス（キャパシタンス）の差を例えば測定することにより、表示部分が幾つかの数の上部のセットにおいて接触されていたか否かを決定することができる。
【００３０】
その後、ロウ方向の残り３つのブロック１２ｂ、１２ｃ、１２ｄが活性化されて、表示部分が完全に走査されるまで接触を検知することが続けられる。
【００３１】
充電電流がアドレスＴＦＴ内を流れているアクティブマトリックスＬＣＤについても同様の理由付けがなされる。
【００３２】
検知している間に、データが示されている（すなわち、キーパッド上の数字）暗い画素はけっしてアドレスされず、このような画素は（ブランキング期間の間）グレーの値を維持するであろう。しかしながら、図３の実施例において、画像を提供するために用いられるロウとカラムのグループは、接触による検知を実行するためのロウとカラムのグループから完全に分離されていても良い。例えば、もしもキーボード（またはメニュー）データが低いフレームレートで、（例えば、５Ｈｚまたは低いリフレッシュレートでの）低電力モードで表示されていたとしたならば、より高い周波数での接触による検知を実行することは依然として可能である。これは、２つのフレームの間で次のブランキング期間を待つことによる遅れを伴うことのない、より素速い接触による検知を結果している。この好適な実施形態においては、１つのフレーム時間内に幾つかの接触測定期間を受け入れることを可能にする。１つのフレーム時間内での幾つかの接触測定期間の使用は、システムの信頼性を向上させる。
【００３３】
より複雑な表示装置（モニター、電子ゲーム）においては、表示部分の全てまたは殆どがアクティブである間に接触による検知を行なうことを可能にすることは有利であろう。これは、多数の画素が異なる（および変化する）電圧であり、これにより異なるキャパシタンスを有することを意味している。このような装置における参照値を検出することを可能にするために、同様のアプローチは再び考えられるがフィールドメモリが用いられる。信号処理により、検知領域の期待される公称キャパシタンスは、例えば各画素からの個別の電荷を合計することにより、決定される。
【数３】
2005521131.tif 000005
【００３４】
ここで、ルックアップテーブル（または、これと同様の装置）が、所与の画素電圧（温度、フレーム時間等）でのＣｐｉｘｅｌを決定するために用いられる。表示部に触れられること（圧力または浮遊キャパシタンスの何れか）によりキャパシタンスが変更される接触画素の何れかのブロックにおいては、キャパシタンスは再びＣｔｏｕｃｈにより増えるであろうし、これにより下式を導き、
【数４】
2005521131.tif 000006
再び、接触位置は、計算された公称電荷を比較して表示画素のブロックへの放電電流を測定することにより、決定可能である。
【００３５】
一般的に、１つの電流増幅器が接触による検知が求められているカラムの実質的に範囲内の画素を検知するために、いま用いられるであろうし、これは、多数のロウを同時にアドレスすることにより多くの画素を精査することをもはや可能にはしないであろう。
【００３６】
更なる実施形態において、（例えば、画素最低電圧Ｖｔｈでの全ての画素の）同一の公称キャパシタンスおよび対応する公知のキャパシタンスを有する画素（または、画素のブロック）は参考として用いられる。接触による検知は、いま、これらの画素のみを用いて、かつ、式（１）で定義された公知の公称値に対する測定された画素キャパシタンスを比較することにより、実行される。しかしながら、この方法において、接触による検知の接触位置は、画像の内容に依存して動的に変化するであろう。
【００３７】
この代わりとして、タッチセンサ動作が実行される前に、予め定義されたキャパシタンスへと画素を駆動するためにリセットが適用される。その後、（式（１）および（２）を用いて）上述したように、公知の公称キャパシタンス値にしたがって検出が実行される。特に、（ＬＣＤテレビおよび画像が表示されるその他のマルチメディアアプリケーションのような）パルス化されたバックライトが適用された、ＬＣＤ表示装置においては、パルスとパルスとの間の暗（ダーク）期間の間にリセット機能を実行すること、および、画像を変形させることなく接触による検知を実行することが可能である。
【００３８】
さらに他のアプローチにおいては、画素を予め定義されたキャパシタンスにリセットすると共に、画素が再アドレスされる直前に、接触による検知の測定を実行するために、走査リセット機能を用いることもできる。
【００３９】
ＬＣＤアプリケーションにおいては、ＬＣ応答時間が高電圧ではより短くなるので、高電圧（例えば、黒）へのリセットが好ましい。これは、ＬＣがより素速くその最後のキャパシタンスに至るであろうこと、および、接触による検知がより高いフレームレートで実行可能であることを意味している。さらに、ＬＣキャパシタンスは、ある電圧を超えない（キャパシタンス／電圧曲線がより高い電圧では急峻ではない）ように変化しており、これにより、完全にはそれらのリセットキャパシタンスに完全には到達していない何れかの画素が小さなエラーを結果するのみであろう。
【００４０】
さらなる実施形態において、表示部分内のダミー画素は、情報を表示するためではなく接触による検知のみのために用いられる。その後これらの画素は、公知のキャパシタンスを有し、検知は、上述したように再び実行可能となる。これら特定用途のために用いられる画素の存在による画像の変形は、もしもそれらの画素が例えば表示部分の縁に配置されているならば、最少の知覚的な影響を有するであろう。他方で、これらの画素は、ブロックの形式で（または、より大きなセグメントと共に）配置され、表示部分の周囲に分散されていても良い。その後、これらのセンサの（幾つかの）出力は、タッチ入力の位置を決定するために用いられる。
【００４１】
この実施形態の変形例において、これら特定用途のために用いられる画素は、表示の範囲内で規則的な間隔をもって配置されている。しかしながら、これは表示範囲をはみ出した（暗い）画素の顕著なパターンを導くかもしれない。これを避けるために、前記タッチセンサ画素の（ブロックの）動的な決定は、１つのフレームから他のフレームへそれらの位置を変えることにより、これらの画素を肉眼で検出することから効果的に防止することになる。
【００４２】
同様にして、（切り替え素子としてのＴＦＴトランジスタに基づく）アクティブマトリックス表示装置におけるロウラインと対向電極との間の浮遊キャパシタンスにおける変化は、接触を検知するために用いられることが可能である。これは、ロウと対向電極との間の浮遊キャパシタンスが対向電極の電圧とロウ（オフ）電圧との差により決定される固定値であると共に、画素電圧により影響されないという利点を有している。
【００４３】
図４は、スイッチ１３を介してロウ選択線７に接続されるシフトレジスタ４の出力７’を示している。ロウ選択線７はまた、検知ユニット１４に接続されており、このユニットは差動増幅器１５への第１の入力を備え、この増幅器は前記入力とその出力との間に抵抗１６を有している。増幅器の他の入力はこの実施例においては接地へと接続される。
【００４４】
Ｃpixel内の変化は、Ｖｐ内の変化を生成するであろうし、ノード１７でのＶｘ内の変化は以下のように表現できる：
【数５】
2005521131.tif 000007
Ｃ＝Ｑ／Ｖから、上式は
【数６】
2005521131.tif 000008
ここで、この式をＶｘについての式に書き改めると
【数７】
2005521131.tif 000009
ここで、信号は、接触画面上に力を与えたときに増加する。もしもロウドライバの出力インピーダンスがこの測定を妨害しない程度に充分に高いならば、スイッチ１３は省略されていても良い。他方で、もしも必要であるならば、特別なスイッチ１８が用いられても良く、これは、ロウ７の非選択の間に測定するために閉止されのみである（スイッチ１３はその後、開かれる）。
【００４５】
図４に示されるような検出回路は何れかのライン（および／またはカラム）に組み込むことができるので、全体的な表示領域にわたる画素の（ブロックの）連続的で同時に発生する接触の検知が可能となる。これは、冒頭の部分で述べたように、同時検出の機能および表示画面を選択的に活性化させる部分のような、コンピュータおよび遠距離通信への適用における可能性を提供している。
【００４６】
図５の実施例において、（蓄積容量を含んでいても良い）画素のキャパシタンスにおける変化は、Ｒ×Ｃpixelで与えられる、回路の発振周波数を測定することにより、直接検出される。画面が触れられたかを決定するためには増幅器１５と抵抗Ｒ，Ｒ１（１６，１６’）を比較する回路の発振周波数におけるシフトを測定することで充分である。前記シフトは周波数の増加を検出するための例えばフィルタを用いる、周波数測定装置１９により出力２０で決定される。
【００４７】
図６は、画素電極が具体的なマイクロフォンにどのように組み込まれるのかを最終的に示している。その非分散状態における画素は、電圧差（Ｖ１−Ｖ２）を有しているであろうし、これによるキャパシタプレート（画素）のそれぞれの側部に電荷を堆積させている。圧力を付与することにより画素を不安定にさせることは、結果としてそのキャパシタンスにおける変化を招くであろう。これは結果として画素電極の両方の側から流れる電流Ｉ１およびＩ２になる。この２つの電流は、大きさにおいては等しく、その結果として、回路内の２つの抵抗Ｒ，Ｒ１（１６，１６’）間では同じ電圧降下が発生する。２つの増幅器１５はブロッキングキャパシタ２１（Ｃ）による抵抗Ｒ１における電圧の変化を測定しているのみであるので、この回路出力２０，２０’は、理想的には下式である同一の電圧信号を提供する、
【数８】
2005521131.tif 000010
【００４８】
与えられた実施例は今までのところでは、主として接触により検知することにより、インピーダンスの容量性の部分が一般的に影響を受けると共に主として電圧測定が説明された液晶表示装置に関するものであったが、同じ理由付けは、インピーダンスの抵抗部分が主として接触による検知により影響されて、電流測定に基づいて検出方法が用いられるような表示装置に適用される。
【００４９】
そこで、この発明の保護範囲は上述した実施形態に限定されることなく、また、この発明は他の表示装置、例えば、（Ｏ）ＬＥＤ表示、電気泳動表示、エレクトロクロミック表示、プラズマディスプレイ、その他、例えば電界放出エレクトロウェッティングその他に基づく表示装置にもまた適用可能である。
【００５０】
これとは選択的に、柔軟性に富んだ基板（合成材料）が用いられても良い（着用可能な表示部、着用可能な電子製品）。
【００５１】
この発明は、どれもこれも新規で特徴的な構成およびどれもこれも特徴的な構成の組合せに属している。請求項における参照符号は、その保護範囲を制限するものではない。動詞“備える［to comprise］”およびその合接詞の使用は、請求項内のそれらの状態以上の構成要素の存在を排除するものではない。構成要素の前にある冠詞“a”または“an”の使用は、これらの構成要素が複数存在することを排除するものではない。
【図面の簡単な説明】
【００５２】
【図１】液晶装置を概略的に示す説明図である。
【図２】液晶装置の電圧伝送カーブを示す特性図である。
【図３】この発明の第１実施形態によるタッチ高感度液晶装置の一部分の構成を示す説明図である。
【図４】この発明の更なる実施形態によるタッチ高感度液晶装置の一部分の構成を示す説明図である。
【図５】この発明の更なる実施形態によるタッチ高感度液晶装置の一部分の構成を示す説明図である。
【図６】この発明の更なる実施形態によるタッチ高感度液晶装置の一部分の構成を示す説明図である。
【図１】
2005521131.tif 000011
【図２】
2005521131.tif 000012
【図３】
2005521131.tif 000013
【図４】
2005521131.tif 000014
【図５】
2005521131.tif 000015
【図６】
2005521131.tif 000016
【国際調査報告】
2005521131.tif 000017
2005521131.tif 000018
2005521131.tif 000019